(57)【要約】【課題】電池やコンデンサなどの補助電源を用いずに、トランスの一次側と二次側で発生する無駄な電力消費をなくすことができる電源制御装置を提供する。【解決手段】押圧によりＯＮし押圧の解除によりＯＦＦするプッシュスイッチ４と、このプッシュスイッチ４と並列に接続されたリレー接点５ａと、このリレー接点５ａをＯＮ／ＯＦＦさせるリレー駆動回路とを備える。プッシュスイッチ４のＯＮによりリレー接点５ａをＯＮ状態に保持し、この接点５ａを介してトランス７の一次側から二次側へ電源供給することにより、マイコン１５に待機用電圧Ｖ４を与えて待機状態とする。また、リモコン１３からパワーオン信号が与えられて負荷が動作した後、スリープタイマ時間が経過して自動的にパワーオフとなると、マイコン１５から出力される制御信号によりリレー接点５ａをＯＦＦにし、トランス７の一次側の電源を完全に遮断する。【選択図】図１
2008010972.tif 000002
【特許請求の範囲】
【請求項１】
電源の交流電圧を直流電圧に変換する整流回路と、この整流回路で変換された直流電圧をスイッチングするスイッチング回路と、このスイッチング回路でスイッチングされた電圧が一次側に与えられ、二次側から主電圧および待機用電圧を取り出すトランスと、待機状態において前記待機用電圧が供給されるマイクロコンピュータと、前記主電圧を負荷へ供給して負荷を動作させるためのパワーオン信号、および前記主電圧の負荷への供給を遮断して待機状態に移行するためのパワーオフ信号を前記マイクロコンピュータに与えるリモコンとを有し、前記マイクロコンピュータに待機用電圧を供給する補助電源を有していないテレビジョン装置において、
前記電源とスイッチング回路との間に設けられ、押圧によりＯＮし押圧の解除によりＯＦＦするプッシュスイッチと、
前記プッシュスイッチと並列に接続されたリレー接点と、
前記リレー接点をＯＮ／ＯＦＦさせるためのリレー駆動回路とを備え、
前記プッシュスイッチがＯＮしたことに基づき、前記リレー駆動回路により前記リレー接点をＯＮ状態に保持し、当該リレー接点を介してトランスの一次側から二次側へ電源供給することにより、前記マイクロコンピュータに待機用電圧を与えて待機状態とし、
前記リモコンによりパワーオン信号がマイクロコンピュータに与えられて負荷が動作した後、前記リモコンで設定されたスリープタイマ時間が経過して自動的にパワーオフとなった場合、または、テレビ信号が無信号となる状態が一定時間継続して自動的にパワーオフとなった場合に、前記マイクロコンピュータから所定の制御信号を出力し、この制御信号により前記リレー駆動回路を制御して、前記リレー接点をＯＦＦにすることにより、トランスの一次側の電源を完全に遮断することを特徴とするテレビジョン装置。
【請求項２】
電源の交流電圧を直流電圧に変換する整流回路と、この整流回路で変換された直流電圧をスイッチングするスイッチング回路と、このスイッチング回路でスイッチングされた電圧が一次側に与えられ、二次側から主電圧および待機用電圧を取り出すトランスと、待機状態において前記待機用電圧が供給されるマイクロコンピュータと、前記主電圧を負荷へ供給して負荷を動作させるためのパワーオン信号、および前記主電圧の負荷への供給を遮断して待機状態に移行するためのパワーオフ信号を前記マイクロコンピュータに与える指令手段とを有し、前記マイクロコンピュータに待機用電圧を供給する補助電源を有していない電源制御装置において、
前記電源とスイッチング回路との間に設けられ、押圧によりＯＮし押圧の解除によりＯＦＦする第１の開閉素子と、
前記第１の開閉素子と並列に接続された第２の開閉素子と、
前記第２の開閉素子をＯＮ／ＯＦＦさせるための駆動回路とを備え、
前記第１の開閉素子がＯＮしたことに基づき、前記駆動回路により前記第２の開閉素子をＯＮ状態に保持し、当該第２の開閉素子を介してトランスの一次側から二次側へ電源供給することにより、前記マイクロコンピュータに待機用電圧を与えて待機状態とし、
前記指令手段によりパワーオン信号がマイクロコンピュータに与えられて負荷が動作した後、待機状態を維持する必要のない所定条件下で自動的にパワーオフとなった場合に、前記マイクロコンピュータから所定の制御信号を出力し、この制御信号により前記駆動回路を制御して、前記第２の開閉素子をＯＦＦにすることにより、トランスの一次側の電源を完全に遮断することを特徴とする電源制御装置。
【請求項３】
請求項２に記載の電源制御装置を備えたテレビジョン装置であって、
前記マイクロコンピュータは、あらかじめ設定されたスリープタイマ時間が経過して自動的にパワーオフとなった場合に、前記制御信号を出力することを特徴とするテレビジョン装置。
【請求項４】
請求項２に記載の電源制御装置を備えたテレビジョン装置であって、
前記マイクロコンピュータは、テレビ信号が無信号となる状態が一定時間継続して自動的にパワーオフとなった場合に、前記制御信号を出力することを特徴とするテレビジョン装置。
【請求項５】
電源の交流電圧を直流電圧に変換する整流回路と、この整流回路で変換された直流電圧をスイッチングするスイッチング回路と、このスイッチング回路でスイッチングされた電圧が一次側に与えられ、二次側から主電圧および待機用電圧を取り出すトランスと、待機状態において前記待機用電圧が供給されるマイクロコンピュータと、前記主電圧を負荷へ供給して負荷を動作させるためのパワーオン信号、および前記主電圧の負荷への供給を遮断して待機状態に移行するためのパワーオフ信号を前記マイクロコンピュータに与える指令手段とを有し、前記マイクロコンピュータに待機用電圧を供給する補助電源を有していない電源制御装置において、
前記電源とスイッチング回路との間に設けられ、押圧によりＯＮし押圧の解除によりＯＦＦする第１の開閉素子と、
前記第１の開閉素子と並列に接続された第２の開閉素子と、
前記第２の開閉素子をＯＮ／ＯＦＦさせるための駆動回路とを備え、
前記第１の開閉素子がＯＮしたことに基づき、前記駆動回路により前記第２の開閉素子をＯＮ状態に保持し、当該第２の開閉素子を介してトランスの一次側から二次側へ電源供給することにより、前記マイクロコンピュータに待機用電圧を与えて待機状態とし、
前記指令手段によりパワーオン信号がマイクロコンピュータに与えられて負荷が動作した後、前記指令手段によりパワーオフ信号がマイクロコンピュータに与えられて待機状態となってから一定時間が経過した場合に、前記マイクロコンピュータから所定の制御信号を出力し、この制御信号により前記駆動回路を制御して、前記第２の開閉素子をＯＦＦにすることにより、トランスの一次側の電源を完全に遮断することを特徴とする電源制御装置。
【発明の詳細な説明】
【技術分野】
【０００１】
本発明は、テレビジョン装置等に用いられる電源制御装置に関し、特に、待機状態での消費電力を低減するための技術に関する。
【背景技術】
【０００２】
図７は、従来の電源制御装置を用いたテレビジョン装置の一例を示したブロック図である。５１は交流電源（以下単に「電源」という。）、５２ａおよび５２ｂは電源５１に接続される端子、５３は電源５１の交流電圧を直流電圧に変換する整流回路である。整流回路５３は公知の全波整流回路から構成される。５４は電源の入切を行うタクトスイッチである。このタクトスイッチ５４は、ロック機構を備えたスイッチであって、１回押すとロックが働いてＯＮ状態を維持し、もう１回押すとロックが解除されてＯＦＦ状態となる。５５は整流回路５３で変換された直流電圧をスイッチングするスイッチング回路であって、公知のスイッチングレギュレータから構成される。５６はスイッチング回路５５でスイッチングされた直流電圧が一次側に与えられ、二次側から複数の直流電圧Ｖ１〜Ｖ４を取り出すトランスである。直流電圧Ｖ１〜Ｖ３は、ディスプレイ（図示省略）等の各種負荷へ供給される主電圧であり、直流電圧Ｖ４は、後述するマイクロコンピュータ６４やリモコン受信部６３へ供給される待機用電圧である。５７は取り出された直流電圧Ｖ１〜Ｖ４の各部への供給／遮断を制御する電源制御回路である。
【０００３】
５８はテレビ信号を受信するアンテナ、５９はアンテナ５８で受信されたテレビ信号から所定周波数の信号を選択するチューナ、６０はチューナ５９で選択された信号を増幅する中間周波増幅回路、６１は中間周波増幅回路６０で増幅された信号を処理する信号処理部であって、これらはいずれも既存のテレビジョン装置に備わっている公知の回路から構成される。信号処理部６１からは映像信号および音声信号が出力され、これらの信号はそれぞれディスプレイ（図示省略）とスピーカ（図示省略）に供給される。６２はテレビジョン装置に対して種々の指令を与えるためのリモコン、６３はリモコン６２からの信号を受信するリモコン受信部、６４はテレビジョン装置の動作を制御するマイクロコンピュータ（以下「マイコン」という。）である。
【０００４】
上記のようなテレビジョン装置において、タクトスイッチ５４が押されてＯＮになると、このスイッチ５４を介してトランス５６の一次側から二次側へ電源供給が行われる。このとき、電源制御回路５７からは待機用電圧Ｖ４だけが出力され、主電圧Ｖ１〜Ｖ３は出力されないので、ディスプレイ等の負荷には通電がされず、テレビジョン装置は非動作の状態にある。一方、待機用電圧Ｖ４は、マイコン６４の駆動電圧Ｖｃｃ（例えば＋５Ｖ）として与えられるとともに、リモコン受信部６３に供給されるので、マイコン６４はリモコン６２からのパワーオン信号を待つ待機状態（スタンバイ状態）となる。そして、この待機状態からリモコン６２が操作されて、パワーオン信号がリモコン受信部６３を介してマイコン６４に与えられると、マイコン６４は電源制御回路５７に対してパワーオンの指令を送る。これにより、電源制御回路５７が主電圧Ｖ１〜Ｖ３を各負荷に供給するので、テレビジョン装置は動作状態となる。
【０００５】
ところで、一般にテレビジョン装置には、電源を切らずに就寝してしまった場合でも、予め設定されたタイマ時間が経過すると自動的にパワーオフとなるスリープタイマの機能が備わっている。図７では、このパワーオフの制御はマイコン６４によって行われる。マイコン６４は、リモコン６２で設定されたスリープタイマ時間が経過すると、電源制御回路５７にパワーオフの指令を与えて、主電圧Ｖ１〜Ｖ３の負荷への供給を遮断する。これにより、テレビジョン装置は非動作状態となる。このとき、マイコン６４やリモコン受信部６３は、待機用電圧Ｖ４により動作を維持しており、待機状態となっている。また、タクトスイッチ５４は、前述のようにロックタイプのスイッチであることからＯＮとなっている。
【０００６】
また、テレビジョン装置には、深夜等において番組が全部終了したことにより、テレビ信号が無信号となる状態が一定時間継続した場合に、自動的にパワーオフとなる機能が備わっているものがある。図７では、マイコン６４は中間周波増幅回路６０の出力信号を監視し、出力信号のない状態が例えば１５分間継続すると、電源制御回路５７にパワーオフの指令を与えて、主電圧Ｖ１〜Ｖ３の負荷への供給を遮断する。これにより、テレビジョン装置は非動作状態となる。このときも、マイコン６４やリモコン受信部６３は、待機用電圧Ｖ４により動作を維持して待機状態となっており、また、タクトスイッチ５４はＯＮとなっている。
【０００７】
このように、図７のテレビジョン装置においては、スリープタイマ時間が経過して自動的にパワーオフとなった場合や、テレビ信号が無信号となる状態が一定時間継続して自動的にパワーオフとなった場合でも、タクトスイッチ５４がＯＮしたままであるため、待機状態においてトランス５６の一次側と二次側で通電による電力消費が発生することになる。しかるに、例えばスリープタイマの場合は、眠りについた後にリモコン６２を操作してパワーオンにすることはあり得ないから、装置を待機状態にしておくことは電力が消費されるだけで無駄となる。また、深夜等に番組が全部終了した場合も、その後にリモコン６２を操作してパワーオンにすることは通常考えられないから、装置を待機状態にしておくことは電力が消費されるだけで無駄となる。これらの電力消費の無駄をなくすには、タクトスイッチ５４をＯＦＦにすればよいが、このためにはタクトスイッチ５４を手動で操作しなければならず、就寝後はそのような操作自体が不可能であるから、電力消費は避けられない結果となる。
【０００８】
一方、待機状態における電力消費の低減に関する先行技術として、例えば後掲の特許文献１、特許文献２に記載のものがある。
【０００９】
特許文献１では、機器本体が待機状態になると、待機状態検出回路がこれを検出し、電源トランスの一次側に設けたメイン電源スイッチを開成して主負荷への電圧供給を遮断するとともに、補助負荷に対しては電池により直流電圧を供給して動作状態に保つようすることで、待機時における商用電源の消費を完全に抑制するようにしている。
【００１０】
特許文献２では、リモコンから電源オフの信号が受信された場合に、主動作部への直流電圧の供給を断って機器の動作を停止させるとともに、トランジスタに制御信号を供給してリレーを動作させ、電源トランスの一次側のリレー接点を開放してトランスへの商用電源の供給を遮断する一方、コンデンサの端子電圧を待機用電圧として制御部等へ供給することで、待機状態の省電力化を図るようにしている。
【００１１】
また、トランスの二次側に負荷が接続されているか否かを判別し、負荷が接続されていないときには、トランスの一次側のスイッチを開放してＡＣ電源を遮断することにより、電源部を完全にＯＦＦにして待機電力をゼロとすることが後掲の特許文献３に記載されている。
【００１２】
【特許文献１】特開平１１−３４１８０４号公報
【特許文献２】特開２００４−２７４８９７号公報
【特許文献３】特開２００２−３１５３１９号公報
【発明の開示】
【発明が解決しようとする課題】
【００１３】
特許文献１および特許文献２は、いずれも、待機状態においてトランスの一次側を遮断することにより消費電力を低減するものである。しかしながら、特許文献１の場合は、待機状態を維持するために補助電源としての電池が必要となり、その分コストが高くなるという問題がある。特許文献１では、待機状態でトランスの一次側のメイン電源スイッチがＯＦＦとなって電源供給が絶たれるため、電池を用いずに待機用の電源を確保することはできない。もし電池を用いずに待機用の電源を確保しようとすれば、結局、図７で示したように、待機状態でＯＮを維持するロック式のタクトスイッチを用いざるを得ない。しかるに、そのようにしたのでは、スリープタイマ実行時や無信号状態継続時のように待機状態にしておく必要がない場合でも、トランスの一次側と二次側で無駄な電力消費が発生することは前述のとおりである。
【００１４】
また、特許文献２の場合は、待機状態を維持するために補助電源としての大容量のコンデンサが必要となり、やはりその分コストが高くなる。この特許文献２でも、待機状態でトランスの一次側のリレー接点がＯＦＦとなって電源供給が絶たれるため、コンデンサを用いずに待機用の電源を確保することはできない。そして、コンデンサを用いずに待機用の電源を確保しようとすれば、特許文献１の場合と同様に、図７のようなロック式のタクトスイッチを用いる必要があるため、待機状態にしておく必要がない場合でも、トランスの一次側と二次側で無駄な電力消費が発生することに変わりはない。また、コンデンサを用いた場合は、待機状態にしておく必要がない状況下でも、コンデンサの電圧が低下するとリレー接点をＯＮにしてコンデンサを充電し、コンデンサがある程度まで充電されるとリレー接点を再びＯＦＦにするという動作が繰り返されるので、リレー接点がＯＮになっている間、無駄な電力消費が発生するという問題がある。
【００１５】
また、特許文献３に記載されているのは、負荷の有無によってトランスの一次側のスイッチをＯＮ／ＯＦＦする技術であり、負荷が接続された状態で待機状態となった場合の電源制御についての技術ではないので、本文献は上述した問題点を解決する糸口にはなり得ない。
【００１６】
このように、従来の装置では、スリープタイマや無信号状態によるパワーオフのように待機状態を維持する必要のない場合でも、無駄な電力消費が発生するが、現状ではこれに対する有効な手段が採られていなかった。また、待機用の補助電源を設けると、電池やコンデンサなどが必要となってコストが高くなるという問題があった。
【００１７】
そこで、本発明の課題は、電池やコンデンサなどの補助電源を用いずに、トランスの一次側と二次側で発生する無駄な電力消費をなくすことができる電源制御装置を提供することにある。
【課題を解決するための手段】
【００１８】
本発明では、電源の交流電圧を直流電圧に変換する整流回路と、この整流回路で変換された直流電圧をスイッチングするスイッチング回路と、このスイッチング回路でスイッチングされた電圧が一次側に与えられ、二次側から主電圧および待機用電圧を取り出すトランスと、待機状態において待機用電圧が供給されるマイクロコンピュータと、主電圧を負荷へ供給して負荷を動作させるためのパワーオン信号、および主電圧の負荷への供給を遮断して待機状態に移行するためのパワーオフ信号をマイクロコンピュータに与える指令手段とを有し、マイクロコンピュータに待機用電圧を供給する補助電源を有していない電源制御装置において、電源とスイッチング回路との間に設けられ、押圧によりＯＮし押圧の解除によりＯＦＦする第１の開閉素子と、この第１の開閉素子と並列に接続された第２の開閉素子と、この第２の開閉素子をＯＮ／ＯＦＦさせるための駆動回路とを備える。そして、第１の開閉素子がＯＮしたことに基づき、駆動回路により第２の開閉素子をＯＮ状態に保持し、当該第２の開閉素子を介してトランスの一次側から二次側へ電源供給することにより、マイクロコンピュータに待機用電圧を与えて待機状態とする。また、指令手段によりパワーオン信号がマイクロコンピュータに与えられて負荷が動作した後、待機状態を維持する必要のない所定条件下で自動的にパワーオフとなった場合に、マイクロコンピュータから所定の制御信号を出力し、この制御信号により駆動回路を制御して、第２の開閉素子をＯＦＦにすることにより、トランスの一次側の電源を完全に遮断する。
【００１９】
第１の開閉素子は、例えばプッシュスイッチから構成することができ、第２の開閉素子は、例えばリレー接点から構成することができる。この場合、駆動回路はリレー駆動回路として構成される。また、指令手段は、例えばリモコンから構成することができる。
【００２０】
本発明においては、従来のタクトスイッチに代えて、プッシュスイッチのような押圧によりＯＮし押圧の解除によりＯＦＦする第１の開閉素子と、リレー接点のような第２の開閉素子とを用い、第１の開閉素子のＯＮにより第２の開閉素子をＯＮ状態に保持して、トランスの二次側へ電源を供給する。そして、待機状態を維持する必要のない状況下で自動的にパワーオフとなった場合に、マイクロコンピュータから制御信号を出力して第２の開閉素子をＯＦＦにする。このとき、第１の開閉素子はすでにＯＦＦとなっているので、第２の開閉素子がＯＦＦすることで、トランスの一次側の電源は完全に遮断される。この結果、待機状態の維持が不要な場合に、トランスの一次側と二次側の消費電力をゼロにして、無駄な電力消費が発生するのを回避することができる。また、通常の待機状態では、第２の開閉素子を介してトランスの二次側に供給される電源からマイクロコンピュータの待機用電圧を得るので、電池やコンデンサのような補助電源は不要である。
【００２１】
本発明の電源制御装置をテレビジョン装置に用いた場合は、あらかじめ設定されたスリープタイマ時間が経過して自動的にパワーオフとなった場合に、マイクロコンピュータから前記の制御信号を出力することで、無駄な電力消費の発生を回避することができる。また、テレビ信号が無信号となる状態が一定時間継続して自動的にパワーオフとなった場合に、マイクロコンピュータから前記の制御信号を出力することで、無駄な電力消費の発生を回避することができる。
【００２２】
また、本発明では、指令手段によりパワーオン信号がマイクロコンピュータに与えられて負荷が動作した後、指令手段によりパワーオフ信号がマイクロコンピュータに与えられて待機状態となってから一定時間が経過した場合に、マイクロコンピュータから制御信号を出力し、この制御信号により第２の開閉素子をＯＦＦにすることにより、トランスの一次側の電源を完全に遮断するようにしてもよい。この場合も、待機状態の維持が不要な状況下での無駄な電力消費の発生を回避することができる。
【発明の効果】
【００２３】
本発明によれば、電池やコンデンサなどの補助電源を用いずに、待機状態を維持する必要のない場合の無駄な電力消費をなくすことが可能となる。
【発明を実施するための最良の形態】
【００２４】
以下、本発明の実施形態につき図面を参照しながら説明する。
【００２５】
図１は、本発明を適用したテレビジョン装置の一例を示すブロック図である。１は交流電源（以下単に「電源」という。）、２ａおよび２ｂは電源１に接続される端子、３は電源１の交流電圧を直流電圧に変換する整流回路である。整流回路３は公知の全波整流回路から構成される。４はプッシュスイッチであって、押圧するとＯＮになり、押圧を解除するとＯＦＦになるスイッチである。このプッシュスイッチ４は、図７のタクトスイッチ５４と異なり、ロック機構を有していない。５はリレーであって、リレー接点５ａとリレーコイル５ｂを備えている。リレー接点５ａはプッシュスイッチ４と並列に接続されている。プッシュスイッチ４とリレー接点５ａは、電源１とスイッチング回路６との間に設けられる。スイッチング回路６は、整流回路３で変換された直流電圧をスイッチングする公知のスイッチングレギュレータから構成される。７はスイッチング回路６でスイッチングされた直流電圧が一次側に与えられ、二次側から複数の直流電圧Ｖ１〜Ｖ４を取り出すトランスである。直流電圧Ｖ１〜Ｖ３は、ディスプレイ（図示省略）等の各種負荷へ供給される主電圧であり、直流電圧Ｖ４は、後述するマイクロコンピュータ１５やリモコン受信部１４などへ供給される待機用電圧である。８は取り出された直流電圧Ｖ１〜Ｖ４の各部への供給／遮断を制御する電源制御回路である。
【００２６】
９はテレビ信号を受信するアンテナ、１０はアンテナ９で受信されたテレビ信号から所定周波数の信号を選択するチューナ、１１はチューナ１０で選択された信号を増幅する中間周波増幅回路、１２は中間周波増幅回路１１で増幅された信号を処理する信号処理部であって、これらはいずれも既存のテレビジョン装置に備わっている公知の回路から構成される。中間周波増幅回路１１の出力は、マイコン１５の入力ポートｂにも与えられる。信号処理部１２からは映像信号および音声信号が出力され、これらの信号はそれぞれディスプレイ（図示省略）とスピーカ（図示省略）に供給される。１３はテレビジョン装置に対して種々の指令を与えるためのリモコン、１４はリモコン１３からの信号を受信するリモコン受信部、１５はテレビジョン装置の動作を制御するマイクロコンピュータ（以下「マイコン」という。）である。
【００２７】
１６はフォトトランジスタＰＴと発光ダイオードＬＥＤとからなるフォトカプラ、Ｑ１およびＱ２はスイッチング用のトランジスタ、Ｒ１〜Ｒ５は抵抗である。フォトトランジスタＰＴのエミッタは接地されており、コレクタはトランジスタＱ１のベースに接続されているとともに、抵抗Ｒ２を介してプッシュスイッチ４およびリレー接点５ａの各出力側に接続されている。トランジスタＱ１のエミッタは接地されており、コレクタは抵抗Ｒ１を介してリレーコイル５ｂの一端に接続されている。リレーコイル５ｂの他端は、プッシュスイッチ４およびリレー接点５ａの各出力側に接続されている。発光ダイオードＬＥＤのカソードには、トランジスタＱ２のコレクタが接続されている。トランジスタＱ２のエミッタは接地されており、ベースは抵抗Ｒ４、Ｒ５を介してマイコン１５の出力ポートａに接続されている。発光ダイオードＬＥＤのアノードは、抵抗Ｒ３を介して待機用電圧Ｖ４の電源ラインに接続されている。この待機用電圧Ｖ４は、マイコン１５とリモコン受信部１４にも共通に与えられる。なお、発光ダイオードＬＥＤへは、電圧Ｖ４の電源ライン以外の電源ラインから電流を供給するようにしてもよい。
【００２８】
以上において、プッシュスイッチ４は本発明における第１の開閉素子の一実施形態を構成し、リレー接点５ａは本発明における第２の開閉素子の一実施形態を構成し、リモコン１３は本発明における指令手段の一実施形態を構成する。また、フォトカプラ１６とトランジスタＱ１，Ｑ２および抵抗Ｒ１〜Ｒ５は、本発明における駆動回路（リレー駆動回路）の一実施形態を構成する。さらに、図１で９〜１２の各ブロックを除く部分は、本発明における電源制御装置の一実施形態を構成する。
【００２９】
次に、図１のテレビジョン装置における電源制御について説明する。プッシュスイッチ４が押されてＯＮになると、整流回路３から出力される直流電圧に基づいて、プッシュスイッチ４および抵抗Ｒ２を介してトランジスタＱ１のベースに電流が流れ、トランジスタＱ１がＯＮする。トランジスタＱ１がＯＮすると、プッシュスイッチ４を介してリレーコイル５ｂに電流が流れるので、図２に示すように、リレー５が動作してリレー接点５ａがＯＮとなる。リレー接点５ａがＯＮすると、図３に示すように、プッシュスイッチ４の押圧を解除してスイッチ４がＯＦＦとなっても、リレー接点５ａを通してリレーコイル５ｂに電流が流れるので、リレー５は自己保持状態となり、リレー接点５ａはＯＮ状態を維持する。この結果、整流回路３から出力される直流電圧がリレー接点５ａを介してスイッチング回路６へ与えられ、スイッチング回路６のスイッチング動作によって、トランス７の一次側から二次側へ電源供給が行われる。
【００３０】
このとき、電源制御回路８からは待機用電圧Ｖ４だけが出力され、主電圧Ｖ１〜Ｖ３は出力されないので、ディスプレイ等の負荷には通電がされず、テレビジョン装置は非動作の状態にある。一方、待機用電圧Ｖ４は、マイコン１５の駆動電圧Ｖｃｃ（例えば＋５Ｖ）として与えられるとともに、リモコン受信部１４に供給されるので、マイコン１５はリモコン１３からのパワーオン信号を待つ待機状態（スタンバイ状態）となる。そして、この待機状態からリモコン１３が操作されて、パワーオン信号がリモコン受信部１４を介してマイコン１５に与えられると、マイコン１５は電源制御回路８に対してパワーオンの指令を送る。これにより、電源制御回路８が主電圧Ｖ１〜Ｖ３を各負荷に供給するので、テレビジョン装置は動作状態となり、信号処理部１２から出力される映像信号と音声信号がそれぞれディスプレイとスピーカに供給されて、映像や音声が出力される。
【００３１】
ここで、リモコン１３においてスリープタイマの設定が行われている場合は、設定されたタイマ時間が経過すると、マイコン１５の出力ポートａから制御信号として「Ｈ」（Ｈｉｇｈ）信号が出力される。この「Ｈ」信号は抵抗Ｒ４，Ｒ５を介してトランジスタＱ２のベースに与えられるので、トランジスタＱ２がＯＮする。トランジスタＱ２がＯＮすると、待機用電圧Ｖ４の電源ラインから抵抗Ｒ３を介してフォトカプラ１６の発光ダイオードＬＥＤに電流が流れ、発光ダイオードＬＥＤが発光する。このため、フォトカプラ１６のフォトトランジスタＰＴがＯＮ状態となる。フォトトランジスタＰＴがＯＮになることで、トランジスタＱ１のベースが接地されるので、トランジスタＱ１はＯＦＦとなる。トランジスタＱ１がＯＦＦすると、リレーコイル５ｂに電流が流れなくなるので、リレー５は非動作状態となってリレー接点５ａがＯＦＦし、図１の状態に戻る。この結果、整流回路３から出力される直流電圧はスイッチング回路６へ与えられなくなり、トランス７の一次側の電源が完全に遮断される。これにより、トランス７の一次側から二次側への電源供給も停止されるので、電源制御回路８から電圧Ｖ１〜Ｖ４の全てが出力されなくなり、テレビジョン装置は非動作状態へ移行するとともに、マイコン１５やリモコン受信部１４も待機用電圧が与えられない状態となる。この電源遮断状態から通常の待機状態に戻すには、プッシュスイッチ４を押圧操作すればよい。
【００３２】
また、テレビ信号が無信号となる状態が一定時間継続した場合も、上記と同様の動作が行われる。マイコン１５は、入力ポートｂに与えられる中間周波増幅回路１１の出力信号を監視し、出力信号のない状態が例えば１５分間継続すると、出力ポートａから制御信号として「Ｈ」信号を出力する。以後の動作は上記と同様であり、この「Ｈ」信号に基づいてリレー接点５ａがＯＦＦし、トランス７の一次側の電源が完全に遮断される。
【００３３】
このようにして、上述した実施形態においては、従来のタクトスイッチに代えてプッシュスイッチ４とリレー接点５ａとを用い、プッシュスイッチ４のＯＮによりリレー接点５ａをＯＮ状態に保持して、トランス７の二次側へ電源を供給する。そして、スリープタイマにより自動的にパワーオフする場合や無信号時に自動的にパワーオフする場合のように、待機状態を維持する必要のない状況下では、パワーオフとなった時にマイコン１５から制御信号である「Ｈ」信号を出力して、リレー接点５ａをＯＦＦにする。このとき、プッシュスイッチ４はすでにＯＦＦとなっているので、リレー接点５ａがＯＦＦすることで、トランス７の一次側の電源は完全に遮断される。この結果、待機状態の維持が不要な場合に、トランス７の一次側と二次側の消費電力をゼロにして、無駄な電力消費が発生するのを回避することができる。また、通常の待機状態では、リレー接点５ａを介してトランス７の二次側に供給される電源からマイコン１５やリモコン受信部１４の待機用電圧を得るので、電池やコンデンサのような補助電源が不要となる。
【００３４】
図４および図５は、以上述べた電源制御の手順を表したフローチャートである。図４はスリープタイマの場合の電源制御の手順を示しており、図５は無信号状態継続の場合の電源制御の手順を示している。便宜上、これらの手順は別々に表されているが、実際には各手順は並行して実行される。
【００３５】
まず、図４のスリープタイマの場合の処理手順について説明する。ステップＳ１０では、プッシュスイッチ４がＯＮとなるのを待ち、プッシュスイッチ４が押されてＯＮになると（ステップＳ１０：ＹＥＳ）、前述のようにトランジスタＱ１がＯＮしてリレーコイル５ｂに電流が流れるので、続くステップＳ１１でリレー接点５ａをＯＮにして、トランス７の二次側へ電源を供給する。このとき、装置は待機状態となる。その後、ステップＳ１２において、リモコン受信部１４がリモコン１３からパワーオン信号を受信するのを待つ。そして、リモコン１３からパワーオン信号を受信すると（ステップＳ１２：ＹＥＳ）、前述のようにマイコン１５が電源制御回路８にパワーオンの指令を送り、電源制御回路８からの主電圧Ｖ１〜Ｖ３が各負荷に供給されて、テレビジョン装置は通常の動作状態となる（ステップＳ１３）。
【００３６】
テレビジョン装置が動作した後は、リモコン１３からパワーオフ信号を受信したか否かを監視し（ステップＳ１４）、パワーオフ信号を受信すると（ステップＳ１４：ＹＥＳ）、主電圧Ｖ１〜Ｖ３の各負荷への供給を停止して待機状態へ移行し（ステップＳ１５）、ステップＳ１２に戻る。また、パワーオフ信号を受信しなければ（ステップＳ１４：ＮＯ）、ステップＳ１６へ移って、リモコン１３でスリープタイマが設定されたか否かを判定する。スリープタイマが設定されなければ（ステップＳ１６：ＮＯ）、ステップＳ１４に戻る。リモコン１３でスリープタイマが設定されると（ステップＳ１６：ＹＥＳ）、その時点から、設定されたタイマ時間を計測する（ステップＳ１７）。このタイマ時間は、マイコン１５内の時計のカウント値を参照することにより計測される。そして、タイマ時間の計測開始後、タイムアップしたか否か、すなわち、タイマ時間の計測値があらかじめ設定された値に達したか否かを判定する（ステップＳ１８）。
【００３７】
判定の結果、まだタイムアップしていない場合は（ステップＳ１８：ＮＯ）、ステップＳ１７に戻って、タイマ時間の計測を続ける。一方、タイムアップした場合は（ステップＳ１８：ＹＥＳ）、前述のように、マイコン１５から制御信号として「Ｈ」信号を出力する（ステップＳ１９）。そして、この制御信号によりリレー５を非動作状態にしてリレー接点５ａをＯＦＦとし、トランス７の一次側の電源を完全に遮断する（ステップＳ２０）。
【００３８】
次に、図５の無信号時の処理手順について説明する。ステップＳ３０では、プッシュスイッチ４がＯＮとなるのを待ち、プッシュスイッチ４が押されてＯＮになると（ステップＳ３０：ＹＥＳ）、前述のようにトランジスタＱ１がＯＮしてリレーコイル５ｂに電流が流れるので、続くステップＳ３１でリレー接点５ａをＯＮにして、トランス７の二次側へ電源を供給する。このとき、装置は待機状態となる。その後、ステップＳ３２において、リモコン受信部１４がリモコン１３からパワーオン信号を受信するのを待つ。そして、リモコン１３からパワーオン信号を受信すると（ステップＳ３２：ＹＥＳ）、前述のようにマイコン１５が電源制御回路８にパワーオンの指令を送り、電源制御回路８からの主電圧Ｖ１〜Ｖ３が各負荷に供給されて、テレビジョン装置は通常の動作状態となる（ステップＳ３３）。以上の手順は、図４におけるステップＳ１０〜Ｓ１３の手順と全く同じである。
【００３９】
テレビジョン装置が動作した後は、リモコン１３からパワーオフ信号を受信したか否かを監視し（ステップＳ３４）、パワーオフ信号を受信すると（ステップＳ３４：ＹＥＳ）、主電圧Ｖ１〜Ｖ３の各負荷への供給を停止して待機状態へ移行し（ステップＳ３５）、ステップＳ３２に戻る。ここまでの手順も、図４におけるステップＳ１４〜Ｓ１５の手順と全く同じである。また、パワーオフ信号を受信しなければ（ステップＳ３４：ＮＯ）、ステップＳ３６へ移って、無信号の状態が一定時間以上継続したか否かを判定する。無信号状態が一定時間以上継続しなければ（ステップＳ３６：ＮＯ）、ステップＳ３４に戻る。また、無信号状態が一定時間以上継続した場合は（ステップＳ３６：ＹＥＳ）、マイコン１５から制御信号として「Ｈ」信号を出力し（ステップＳ３７）、この制御信号によりリレー５を非動作状態にしてリレー接点５ａをＯＦＦとし、トランス７の一次側の電源を完全に遮断する（ステップＳ３８）。ステップＳ３７〜Ｓ３８の手順は、図４におけるステップＳ１９〜Ｓ２０の手順と全く同じである。
【００４０】
図６は、他の実施形態による電源制御の手順を示したフローチャートである。この実施形態の構成は、図１に示したものと同じであるので、以下では図１を引用する。ステップＳ４０では、プッシュスイッチ４がＯＮとなるのを待ち、プッシュスイッチ４が押されてＯＮになると（ステップＳ４０：ＹＥＳ）、前述のようにトランジスタＱ１がＯＮしてリレーコイル５ｂに電流が流れるので、続くステップＳ４１でリレー接点５ａをＯＮにして、トランス７の二次側へ電源を供給する。このとき、装置は待機状態となる。その後、ステップＳ４２において、リモコン受信部１４がリモコン１３からパワーオン信号を受信するのを待つ。そして、リモコン１３からパワーオン信号を受信すると（ステップＳ４２：ＹＥＳ）、前述のようにマイコン１５が電源制御回路８にパワーオンの指令を送り、電源制御回路８からの主電圧Ｖ１〜Ｖ３が各負荷に供給されて、テレビジョン装置は通常の動作状態となる（ステップＳ４３）。以上の手順は、図４におけるステップＳ１０〜Ｓ１３の手順と全く同じである。
【００４１】
テレビジョン装置が動作した後は、リモコン１３からパワーオフ信号を受信したか否かを監視し（ステップＳ４４）、パワーオフ信号を受信すると（ステップＳ４４：ＹＥＳ）、主電圧Ｖ１〜Ｖ３の各負荷への供給を停止して待機状態へ移行する（ステップＳ４５）。そして、この時点から予め設定されたタイマ時間を計測する（ステップＳ４６）。このタイマ時間は、マイコン１５内の時計のカウント値を参照することにより計測される。そして、タイマ時間の計測開始後、リモコン１３からパワーオン信号を受信したか否かを監視し（ステップＳ４７）、パワーオン信号を受信すると（ステップＳ４７：ＹＥＳ）、タイマをリセットして（ステップＳ４８）、ステップＳ４３へ戻り、主電圧Ｖ１〜Ｖ３を各負荷に供給して通常動作に移る。一方、パワーオン信号を受信しなければ（ステップＳ４７：ＮＯ）、ステップＳ４９へ移って、タイムアップしたか否か、すなわち、タイマ時間の計測値があらかじめ設定された値に達したか否かを判定する。
【００４２】
判定の結果、まだタイムアップしていない場合は（ステップＳ４９：ＮＯ）、ステップＳ４６に戻って、タイマ時間の計測を続ける。一方、タイムアップした場合は（ステップＳ４９：ＹＥＳ）、前述のように、マイコン１５から制御信号として「Ｈ」信号を出力する（ステップＳ５０）。そして、この制御信号によりリレー５を非動作状態にしてリレー接点５ａをＯＦＦとし、トランス７の一次側の電源を完全に遮断する（ステップＳ５１）。ステップＳ５０〜Ｓ５１の手順は、図４におけるステップＳ１９〜Ｓ２０の手順と全く同じである。
【００４３】
この実施形態によると、パワーオン状態からパワーオフ状態（待機状態）へ移行した後、一定時間が経過すると、マイコン１５が制御信号を出力してリレー接点５ａを自動的にＯＦＦにするので、それ以降はトランス７の一次側の電源が完全に遮断され、これによってトランス７の一次側と二次側で発生する無駄な電力消費をなくすことができる。また、待機状態では、リレー接点５ａを介してトランス７の二次側に供給される電源からマイコン１５やリモコン受信部１４の待機用電圧Ｖ４を得るので、電池やコンデンサのような補助電源が不要となる。
【００４４】
本発明では、以上述べた以外にも種々の実施形態を採用することができる。例えば、前記実施形態においては、マイコン１５から出力される制御信号として、「Ｈ」信号を例に挙げたが、マイコン１５から出力される「Ｌ」（Ｌｏｗ）信号に基づいてリレー接点５ａをＯＦＦにするような回路構成としてもよい。
【００４５】
また、前記実施形態においては、第１の開閉素子としてプッシュスイッチを例に挙げたが、押圧によりＯＮし押圧の解除によりＯＦＦするスイッチであれば、プッシュスイッチ以外のスイッチであってもよい。また、第２の開閉素子もリレー接点５ａに限らず、例えば大電流開閉用の半導体スイッチング素子を用いてもよい。
【００４６】
また、前記実施形態においては、指令手段としてリモコン１３を例に挙げたが、これ以外に例えば、装置本体に設けられている操作ボタン（図示省略）を指令手段としてもよい。
【００４７】
また、前記実施形態においては、図４および図５の実施形態と、図６の実施形態とを別物としたが、これらを合体して、スリープタイマ時間が経過して自動的にパワーオフとなった場合、テレビ信号が無信号となる状態が一定時間継続して自動的にパワーオフとなった場合、または待機状態へ移行してから一定時間が経過した場合のいずれかに該当するに至った時に、マイコン１５から制御信号を出力してトランス７の一次側の電源を完全に遮断するようにしてもよい。
【００４８】
さらに、前記実施形態においては、本発明をテレビジョン装置に適用した例を挙げたが、本発明の電源制御装置は、テレビジョン装置以外に、ＤＶＤレコーダ、ハードディスクレコーダ、プリンタ等のような待機状態の発生する機器に適用することが可能である。例えば、ＤＶＤレコーダの場合、タイマ録画の予約がされてパワーオフとなった後、予約された全てのタイマ録画の実行が終了した時点で、マイコン１５から制御信号を出力してトランス７の一次側の電源を完全に遮断するように構成することができる。また、本発明はテレビ等の単体機器に限らず、ＤＶＤレコーダ内蔵型テレビや、ハードディスク内蔵型ＤＶＤレコーダのような複合機器にも適用することができる。
【図面の簡単な説明】
【００４９】
【図１】本発明を適用したテレビジョン装置の一例を示すブロック図である。
【図２】同テレビジョン装置の動作を説明する図である。
【図３】同テレビジョン装置の動作を説明する図である。
【図４】同テレビジョン装置における電源制御の手順を表したフローチャートである。
【図５】同テレビジョン装置における電源制御の手順を表したフローチャートである。
【図６】他の実施形態による電源制御の手順を表したフローチャートである。
【図７】従来の電源制御装置を用いたテレビジョン装置の一例を示したブロック図である。
【符号の説明】
【００５０】
１    交流電源
３    整流回路
４    プッシュスイッチ
５    リレー
５ａ  リレー接点
５ｂ  リレーコイル
６    スイッチング回路
７    トランス
８    電源制御回路
９    アンテナ
１０  チューナ
１１  中間周波増幅回路
１２  信号処理部
１３  リモコン
１４  リモコン受信部
１５  マイクロコンピュータ
１６  フォトカプラ
Ｑ１，Ｑ２  トランジスタ
Ｒ１〜Ｒ５  抵抗
Ｖ１〜Ｖ３  主電圧
Ｖ４  待機用電圧
【図１】
2008010972.tif 000003
【図２】
2008010972.tif 000004
【図３】
2008010972.tif 000005
【図４】
2008010972.tif 000006
【図５】
2008010972.tif 000007
【図６】
2008010972.tif 000008
【図７】
2008010972.tif 000009